(57)【要約】      （修正有）【課題】ケーブルを有する電子カセッテにおいて、取り扱いをしやすくする。【解決手段】電子カセッテ１２では、電子カセッテ１２を取り扱う際に（例えば、電子カセッテ１２を持ち運ぶ際や電子カセッテ１２を撮影台に装着する際に）、ケーブル１３を溝部７０に沿わせると共に、複数の保持部材６２で保持させる構造を設け、ケーブル１３を筐体２０に巻き付けて筐体２０と一体化する。【選択図】図７
2010025640.tif 000002
【特許請求の範囲】
【請求項１】
筐体と、
一端部が前記筐体に接続され、他端部が外部装置に接続されるケーブルと、
前記筐体の外周に沿って前記ケーブルを保持する保持機構と、
を備えた可搬型放射線検出器。
【請求項２】
前記ケーブルは、前記保持機構に保持された状態で前記筐体の外周面より外側へはみ出す請求項１に記載の可搬型放射線検出器。
【請求項３】
前記ケーブルは、外部からの衝撃をやわらげる緩衝部材で覆われて構成されている請求項１又は請求項２に記載の可搬型放射線検出器。
【請求項４】
前記ケーブルは、前記外周の周長よりも長い請求項１〜３のいずれか１項に記載の可搬型放射線検出器。
【請求項５】
前記ケーブルは、その中間部と前記筐体との間に、指を通して前記中間部を把持するための空間を有する請求項１〜４のいずれか１項に記載の可搬型放射線検出器。
【発明の詳細な説明】
【技術分野】
【０００１】
本発明は、持ち運びが可能な可搬型放射線検出器に関する。
【背景技術】
【０００２】
可搬型放射線検出器としては、画像データを外部装置に伝送するためのケーブルを有する放射線撮像装置が知られている（例えば、特許文献１、２）。
【０００３】
また、特許文献３には、可搬型放射線検出器としての電子カセッテが衝撃に弱いことが課題とされ、その解決策としてカセッテ周囲に衝撃部材を配置することが記載されている。
【特許文献１】特開２００５−６９７９号公報
【特許文献２】特開２００７−４４０６８号公報
【特許文献３】特開２００５−６８０６号公報
【発明の開示】
【発明が解決しようとする課題】
【０００４】
ところで、可搬型放射線検出器としての電子カセッテにケーブルを装着したままの状態で、ケーブルがぶらぶらとして邪魔になるという課題の提示は、特許文献１、２にはなく、電子カセッテを運搬する際には、ケーブルを外すか、ケーブルを束ねて持ち運ぶことしかできず、重量が重い電子カセッテを運搬する際、非常に煩雑になり、うっかりすると電子カセッテを落としてしまうことになり兼ねない。
【０００５】
本発明は、上記事実を考慮し、ケーブルを有する可搬型放射線検出器において、取り扱いをしやすくすることを目的とする。
【課題を解決するための手段】
【０００６】
本発明の請求項１に係る可搬型放射線検出器は、筐体と、一端部が前記筐体に接続され、他端部が外部装置に接続されるケーブルと、前記筐体の外周に沿って前記ケーブルを保持する保持機構と、を備えている。
【０００７】
この構成によれば、一端部が筐体に接続されると共に他端部が外部装置に接続されるケーブルが、保持機構によって筐体の外周に沿って保持される。
【０００８】
これにより、ケーブルを筐体に接続してまま、可搬型放射線検出器を取り扱う場合でもケーブルが邪魔になりにくい。
【０００９】
従って、請求項１の構成によれば、ケーブルを筐体から外して筐体と別々に持ち運んだり、ケーブルを束ねてケーブル及び筐体の両方を持って運んだりする必要が無く、可搬型放射線検出器の取り扱いがしやすくなる。
【００１０】
本発明の請求項２に係る可搬型放射線検出器は、請求項１に記載の構成において、前記ケーブルは、前記保持機構に保持された状態で前記筐体の外周面より外側へはみ出す。
【００１１】
この構成によれば、ケーブルは、保持機構に保持された状態で筐体の外周面より外側へはみ出している。このため、外部からの衝撃を筐体が受ける前にケーブルで受けることができ、筐体内の構成部品を衝撃から守ることができる。
【００１２】
本発明の請求項３に係る可搬型放射線検出器は、請求項１又は請求項２に記載の構成において、前記ケーブルは、外部からの衝撃をやわらげる緩衝部材で覆われて構成されている。
【００１３】
この構成によれば、ケーブルは、外部からの衝撃をやわらげる緩衝部材で覆われて構成されているので、ケーブルが受けた衝撃が、筐体に伝播しにくく、筐体内の構成部品を衝撃から守ることができる。
【００１４】
本発明の請求項４に係る可搬型放射線検出器は、請求項１〜３のいずれか１項に記載の構成において、前記ケーブルは、前記外周の周長よりも長い。
【００１５】
この構成によれば、ケーブルは外周の周長よりも長いので、ケーブルの余長部分を、可搬型放射線検出器を持ち運ぶ際に把持する把持部として用いることができる。
【００１６】
本発明の請求項５に係る可搬型放射線検出器は、請求項１〜４のいずれか１項に記載の構成において、前記ケーブルは、その中間部と前記筐体との間に、指を通して前記中間部を把持するための空間を有する。
【００１７】
この構成によれば、ケーブルの中間部と筐体との間に指を通して、ケーブルの中間部を把持することができ、可搬型放射線検出器の持ち運びがしやすくなる。
【発明の効果】
【００１８】
本発明は、上記構成としたので、電子カセッテの取り扱いがしやすくなる。
【発明を実施するための最良の形態】
【００１９】
以下に、本発明に係る実施形態の一例を図面に基づき説明する。
（本実施形態に係る電子カセッテの構成）
まず、可搬型放射線検出器の一例としての電子カセッテの構成を説明する。図１は、放射線画像撮影時における電子カセッテの配置を示す概略図である。図２は、電子カセッテの内部構造を示す概略斜視図である。図３は、電子カセッテ１２の概略構成を模式的に示すブロック図である。
【００２０】
本実施形態に係る電子カセッテ１２は、可搬性を有し、被写体を透過した放射線源からの放射線を検出し、その検出した放射線により表わされる放射線画像の画像情報を生成し、その生成した画像情報を記憶可能な放射線撮影装置であり、具体的には以下に示すように構成されている。なお、電子カセッテ１２は、生成した画像情報を記憶しない構成であっても良い。
【００２１】
図１に示すように、電子カセッテ１２は、放射線画像の撮影時において、放射線を発生させる放射線源としての放射線発生部１４と間隔を空けて配置される。このときの放射線発生部１４と電子カセッテ１２との間は、被写体としての被験者１６が位置するための撮影位置とされており、放射線画像の撮影が指示されると、放射線発生部１４は予め与えられた撮影条件等に応じた放射線量の放射線を射出する。放射線発生部１４から射出された放射線は、撮影位置に位置している被験者１６を透過することで画像情報を担持した後に電子カセッテ１２に照射される。
【００２２】
図２に示すように、電子カセッテ１２は、放射線Ｘを透過させる材料から成り、所定の厚みを有する平板状の筐体２０を備えている。筐体２０内には、筐体２０のうち放射線Ｘが照射される照射面２２側から順に、被験者１６を透過することに伴って生ずる放射線Ｘの散乱線を除去するグリッド２４、被験者１６を透過した放射線発生部１４からの放射線を検出する放射線検出器の一例としての放射線検出パネル２６、及び放射線Ｘのバック散乱線を吸収する鉛板２８が収容されている。
【００２３】
電子カセッテ１２の放射線検出パネル２６は、図３に示すＴＦＴアクティブマトリクス基板３２上に、放射線を吸収して電荷に変換する光電変換層が積層されて構成されている。光電変換層は例えばセレンを主成分（例えば含有率５０％以上）とする非晶質のａ−Ｓｅ（アモルファスセレン）から成り、放射線が照射されると、照射された放射線量に応じた電荷量の電荷（電子−正孔の対）を内部で発生することで、照射された放射線を電荷へ変換する。
【００２４】
なお、放射線検出パネル２６は、アモルファスセレンのような放射線Ｘを直接的に電荷に変換するＸ線−電荷変換材料の代わりに、蛍光体材料と光電変換素子（フォトダイオード）を用いて間接的に電荷に変換しても良い。蛍光体材料としては、ガドリニウム硫酸化物（ＧＯＳ）やヨウ化セシウム（ＣｓＩ）が良く知られている。この場合、蛍光材料によってＸ線−光変換を行い、光電変換素子のフォトダイオードによって光−電荷変換を行なう。
【００２５】
また、ＴＦＴアクティブマトリクス基板３２上には、光電変換層で発生された電荷を蓄積する蓄積容量３４と、蓄積容量３４に蓄積された電荷を読み出すためのＴＦＴ３６とを備えた画素部４０（図３では個々の画素部４０に対応する光電変換層を光電変換部３８として模式的に示している）がマトリクス状に多数個配置されており、電子カセッテ１２への放射線の照射に伴って光電変換層で発生された電荷は、個々の画素部４０の蓄積容量３４に蓄積される。これにより、被写体を透過して電子カセッテ１２に照射された放射線により表される放射線画像は、電荷による画像情報へ変換されて放射線検出パネル２６に保持される。
【００２６】
また、ＴＦＴアクティブマトリクス基板３２には、一定方向（行方向）に延設され個々の画素部４０のＴＦＴ３６をオンオフさせるための複数本のゲート配線４２と、ゲート配線４２と直交する方向（列方向）に延設されオンされたＴＦＴ３６を介して蓄積容量３４から蓄積電荷を読み出すための複数本のデータ配線４４とが設けられている。個々のゲート配線４２はゲート線ドライバ４６に接続されており、個々のデータ配線４４は信号処理部４８に接続されている。
【００２７】
個々の画素部４０の蓄積容量３４に電荷が蓄積されると、個々の画素部４０のＴＦＴ３６は、ゲート線ドライバ４６からゲート配線４２を介して供給される信号により行単位で順にオンされ、ＴＦＴ３６がオンされた画素部４０の蓄積容量３４に蓄積されている電荷は、電荷信号としてデータ配線４４を伝送されて信号処理部４８に入力される。従って、個々の画素部４０の蓄積容量３４に蓄積されている電荷は行単位で順に読み出される。
【００２８】
信号処理部４８は、個々のデータ配線４４毎に設けられた増幅器及びサンプルホールド回路を備えており、個々のデータ配線４４を伝送された電荷信号は増幅器で増幅された後にサンプルホールド回路に保持される。また、サンプルホールド回路の出力側には、マルチプレクサと、画像情報を担持した電気信号を変換する電気信号変換部の一例としてのＡ／Ｄ変換器４８Ａとが、順に接続されている。個々のサンプルホールド回路に保持された電荷信号は、マルチプレクサに順に（シリアルに）入力され、Ａ／Ｄ変換器４８Ａによって、アナログ電気信号がデジタル電気信号に変換される。信号処理部４８には画像メモリ５０が接続されており、信号処理部４８のＡ／Ｄ変換器４８Ａから出力された画像情報は画像メモリ５０に順に記憶される。画像メモリ５０は複数フレーム分の画像情報を記憶可能な記憶容量を有しており、放射線画像の撮影が行われる毎に、撮影によって得られた画像情報が画像メモリ５０に順次記憶される。
【００２９】
また、電子カセッテ１２は、放射線画像を表示可能な表示装置１５との間でデータの送受信を行うための通信部５２と、放射線検出パネル２６を制御する制御部の一例としての装置全体の動作を制御する制御部５８と、を備えている。
【００３０】
なお、表示装置１５は、入力手段としてのキーボードやマウス、表示手段としてのディスプレイ、ＣＰＵ、ＲＯＭ、ＲＡＭ等を含むＰＣ（パーソナルコンピュータ）で構成されている。また、電子カセッテ１２との間でデータの送受信を行うための通信部を備えている。
【００３１】
制御部５８は、電子カセッテ１２全体の制御を司るＣＰＵ、各種の処理プログラムを記憶した記憶媒体としてのＲＯＭ、ワークエリアとしてデータを一時格納するＲＡＭ、各種情報が記憶された記憶手段としてのメモリを含んだマイクロコンピュータ等で構成されている。
【００３２】
なお、制御部としては、装置全体の動作を制御するものに限られず、装置の構成部の一部の動作を制御するものであっても良い。
【００３３】
また、電子カセッテ１２は、放射線検出パネル２６を含む構成部の少なくとも一部へ電力を供給する電源部として、電子カセッテ１２を動作させるために各種回路・素子の構成部へ電力を供給する電源部５４を備えている。
【００３４】
また、電源部５４は、電子カセッテ１２の可搬性を損なわないように、電源部５４によって供給される電力を蓄電する蓄電部としてのバッテリ（充電可能な二次電池）を備えている。
【００３５】
電源部５４によって供給される電力を蓄電する蓄電部としては、充電可能な二次電池に限られず、ニッケル水素・リチウムイオン・鉛蓄電池・キャパシタなどを用いても良い。
【００３６】
また、電源部としては、本実施形態のように、装置全体の構成部に電力を供給するものに限られず、装置の一部の構成部に電力を供給するものであっても良い。また、複数の電源部を有する構成であってもよい。
【００３７】
（電子カセッテ１２の筐体２０の形状及び筐体２０に接続されるケーブル）
次に、電子カセッテ１２の筐体２０の形状及び筐体２０に接続されるケーブルについて説明する。
【００３８】
電子カセッテ１２の筐体２０は、図３に示すように、平面視にて（放射線が照射される側から見て）外縁に４辺（４本の直線）２１Ａ、２１Ｂ、２１Ｃ、２１Ｄを有する形状、具体的には、四辺形状（四角形状）をしている。より具体的には、電子カセッテ１２の筐体２０は、長方形状をしている。なお、電子カセッテ１２は、角が丸くなった形状をしていても良い（図４及び図７参照）。
【００３９】
筐体２０には、辺２１Ａを構成する側面２０Ａと、辺２１Ｂを構成する側面２０Ｂと、辺２１Ｃを構成する側面２０Ｃと、辺２１Ｄを構成する側面２０Ｄとが形成されている。
【００４０】
また、ＴＦＴアクティブマトリクス基板３２（検出領域）も電子カセッテ１２の形状と同様とされており、平面視にて（放射線が照射される側から見て）外縁に４辺（４本の直線）を有する形状、具体的には、四辺形状（四角形状）をしている。より具体的には、ＴＦＴアクティブマトリクス基板３２（検出領域）は、長方形状をしている。
【００４１】
また、電子カセッテ１２の筐体２０には、図３に示すように、ケーブル１３が接続されている。ケーブル１３は、導電性を有する導電部材１３Ａと、導電部材１３Ａを被覆する絶縁性を有する絶縁部材１３Ｂとを備えて構成されている（図８参照）。
【００４２】
このケーブル１３は、一端部が筐体２０に接続固定されており、筐体２０から取り外しができない構成となっている。なお、ケーブル１３は、取り外し可能に筐体２０に接続される構成であってもよい。
【００４３】
また、ケーブル１３の一端部は、電源部５４に電気的に接続されており、電源部５４のバッテリへ電力を供給可能とされている。ケーブル１３の他端部には、外部装置の一例としての充電装置１７に接続可能な端子１８が設けられている。
【００４４】
これにより、図４に示すように、ケーブル１３の端子１８を充電装置１７に接続することにより、電源部５４の充電ができる。
【００４５】
なお、ケーブル１３は、電源部５４の充電に用いられるケーブルに限られず、種々の用途に用いることができる。例えば、ケーブル１３は、図５に示すように、画像データを有線通信するためのケーブルとして用いることができる。
【００４６】
図５に示す構成では、ケーブル１３の一端部は、通信部５２に電気的に接続されており、通信部５２から画像データが送信可能とされている。ケーブル１３の他端部には、外部装置の一例としての表示装置１５に接続可能な端子１８が設けられている。
【００４７】
これにより、図６に示すように、ケーブル１３の端子１８を表示装置１５に接続することにより、画像データにより表される画像を表示することができる。
【００４８】
このように、図５及び図６に示す構成では、ケーブル１３によって、電子カセッテ１２と表示装置１５との間で有線通信により、画像データの送受信が行われる。なお、ケーブル１３を有線通信するためのケーブルとしても用いない場合は、無線通信により画像データの送受信が行われる構成であってもよい。
【００４９】
ここで、筐体２０には、図４、図７及び図８に示すように、筐体２０の外周に沿ってケーブル１３を保持する保持機構６０が設けられている。この保持機構６０は、側面２０Ａ、２０Ｂ、２０Ｃ、２０Ｄに形成された溝部７０と、筐体２０の側面２０Ａ、２０Ｂ、２０Ｃ、２０Ｄに設けられた複数の保持部材６２とを備えて構成されている。
【００５０】
溝部７０は、図８に示すように、ケーブル１３の外周一部に沿って形成されている。ケーブル１３は断面円形状をしており、溝部７０は、円弧状に形成されている。溝部７０には、ケーブル１３の一部が収容され、ケーブル１３は側面２０Ａ、２０Ｂ、２０Ｃ、２０Ｄに沿って配置される。ケーブル１３は、溝部７０に収容された状態では、外周一部が筐体２０の外周面の外側にはみ出している。
【００５１】
これにより、外部からの衝撃を筐体２０が受ける前に、その衝撃をケーブル１３が受けることができる。
【００５２】
ケーブル１３の絶縁部材１３Ｂは、外部からの衝撃をやわらげる緩衝部材で構成されており、筐体２０よりも緩衝性が高い材質で構成されている。具体的には、ケーブル１３の絶縁部材１３Ｂはゴムなどで構成されている。
【００５３】
保持部材６２は、ケーブル１３を保持するためのものであり、ケーブル１３の外周一部に沿ってＵ字状（円弧状）に形成されている。保持部材６２の一端部は、筐体２０に設けられた軸部６４によって回動可能に支持されている。
【００５４】
保持部材６２の他端部には、係合部６６が形成されている。筐体２０には、係合部６６が係合される係合凹部６８が形成されている。
【００５５】
保持部材６２は、係合部６６が係合凹部６８に差し込まれて係止される係止位置（図８（Ａ）参照）と、その係止状態が解除される解除位置（図８（Ｂ）参照）との間を回動するようになっている。
【００５６】
保持部材６２は、係止位置において溝部７０に収容されたケーブル１３を保持し、解除位置では、ケーブル１３は、筐体２０から引き伸ばすことが可能となる。
【００５７】
保持部材６２についても、ケーブル１３の絶縁部材１３Ｂと同様に、外部からの衝撃をやわらげる緩衝部材で構成されることが望ましく、筐体２０よりも緩衝性が高い材質で構成されている。
【００５８】
ケーブル１３は、図７に示すように、筐体２０の外周の全周における周長と同一長さとされており、保持部材６２に保持されることにより、筐体２０の外周の全周に沿って巻き付けられる。なお、ケーブル１３は、筐体２０の全周に保持される構成に限られず、少なくとも筐体２０の一辺以上に沿って保持されていれば良い。また、ケーブル１３は、外周に一周以上に保持されている構成であってもよい。
【００５９】
さらに、ケーブル１３は、図９に示すように、筐体２０の外周のうち、ケーブル１３が保持される部分の周長よりも長くされる構成であってもよい。
【００６０】
図９に示す構成では、ケーブル１３は、一端部と他端部との間の中間部と筐体２０との間に、指を通すための空間Ｋが形成されている。この空間Ｋに指を通して、ケーブル１３の中間部を把持し、ケーブル１３を把持部として用いることができる。
【００６１】
なお、ケーブル１３は、その全部が筐体２０の外周に沿って配置されている構成においては、図１０に示すように、別途、電子カセッテ１２を取り扱う者が把持可能な把持部２３を設けても良い。
【００６２】
また、ケーブル１３は、図１１及び図１２に示すように、保持機構６０により保持された状態において、筐体２０の外周面からはみ出さない構成であってもよい。
【００６３】
この構成では、図１２に示すように、溝部７０は、ケーブル１３の全部が収容される深さに形成されており、ケーブル１３が溝部７０に収容された状態では、ケーブル１３の外縁は、筐体２０の外周面の内側に位置する。
【００６４】
保持部材６２は、筐体２０の外周面に沿って直線状に形成されている。このこうせいにておいても、保持部材６２は、係合部６６が係合凹部６８に差し込まれて係止される係止位置（図１２（Ａ）参照）と、その係止状態が解除される解除位置（図１２（Ｂ）参照）との間を回動するようになっている。
【００６５】
保持部材６２は、係止位置において溝部７０に収容されたケーブル１３を保持し、解除位置では、ケーブル１３は、筐体２０から引き伸ばすことが可能となる。
【００６６】
なお、図１１及び図１２に示す構成では、保持部材６２は、筐体２０の外周面の外側にはみ出しているが、保持部材６２も筐体２０の外周面の内側に位置するように構成しても良い。
【００６７】
（本実施形態に係る電子カセッテ１２の作用）
次に、本実施形態に係る電子カセッテ１２の作用を説明する。
【００６８】
本実施形態に係る電子カセッテ１２では、電子カセッテ１２を取り扱う際に（例えば、電子カセッテ１２を持ち運ぶ際や電子カセッテ１２を撮影台に装着する際に）、ケーブル１３を溝部７０に沿わせると共に、複数の保持部材６２で保持させる。
【００６９】
これにより、ケーブル１３は筐体２０に巻き付けられて筐体２０と一体化するので、ケーブル１３を筐体２０に接続してまま、電子カセッテ１２を取り扱う場合でもケーブル１３が邪魔になりにくい。
【００７０】
従って、本実施形態の電子カセッテ１２では、ケーブル１３を筐体２０から外して筐体２０と別々に持ち運んだり、ケーブル１３を束ねてケーブル１３及び筐体２０の両方を持って運んだりする必要が無くなり、電子カセッテ１２の取り扱いがしやすくなる。
【００７１】
また、電子カセッテ１２を取り扱う際に、電子カセッテ１２を落としたり、ぶつけたりした場合における外部からの衝撃が電子カセッテ１２に加わった場合でも、その衝撃を筐体２０が受ける前に、筐体２０の外周面より外側にはみ出すケーブル１３が受けることができ、筐体２０内の構成部品を衝撃から守ることができる。
【００７２】
さらに、ケーブル１３は、外部からの衝撃をやわらげる緩衝部材で覆われて構成されているので、ケーブル１３が受けた衝撃が、筐体２０に伝播しにくく、筐体２０内の構成部品を衝撃からより効果的に守ることができる。
【００７３】
また、ケーブル１３の余長部分を把持部として用いることにより、電子カセッテ１２の持ち運びがしやすくなる。また、別途、把持部を設ける必要が無いので、部品点数を低減できる。
【００７４】
本発明は、上記の実施形態に限るものではなく、種々の変形、変更、改良が可能である。
【図面の簡単な説明】
【００７５】
【図１】図１は、放射線画像撮影時における電子カセッテの配置を示す概略図である。
【図２】図２は、電子カセッテの内部構造を示す概略斜視図である。
【図３】図３は、電子カセッテの概略構成を模式的に示すブロック図である。
【図４】図４は、ケーブルを充電装置に接続した状態を示す図である。
【図５】図５は、ケーブルを有線通信に用いる場合における電子カセッテの概略構成を模式的に示すブロック図である。
【図６】図６は、ケーブルを表示装置に接続した状態を示す図である。
【図７】図７は、ケーブルを筐体の外周に沿って保持した状態を示す図である。
【図８】図８は、保持機構を拡大して示す部分断面図である。
【図９】図９は、ケーブルを把持部として用いた場合を示す図である。
【図１０】図１０は、別途、把持部を設けた構成を示す図である。
【図１１】図１１は、ケーブルを筐体内に収容し、筐体の外周に沿って保持した状態を示す図である。
【図１２】図１２は、図１１に示す構成において、保持機構を拡大して示す部分断面図である。
【符号の説明】
【００７６】
１２   電子カセッテ（可搬型放射線検出器）
１３   ケーブル
１３Ｂ 絶縁部材（緩衝部材）
１５   表示装置（外部装置）
１７   充電装置（外部装置）
２０   筐体
６０   保持機構
Ｋ     空間
【図１】
2010025640.tif 000003
【図２】
2010025640.tif 000004
【図３】
2010025640.tif 000005
【図４】
2010025640.tif 000006
【図５】
2010025640.tif 000007
【図６】
2010025640.tif 000008
【図７】
2010025640.tif 000009
【図８】
2010025640.tif 000010
【図９】
2010025640.tif 000011
【図１０】
2010025640.tif 000012
【図１１】
2010025640.tif 000013
【図１２】
2010025640.tif 000014